(57)【要約】【課題】サッカーシューズのアッパー上に複数の突起を設けることにより，ボールとのインパクトの際にボールの回転及び曲がりを増加させることが可能なサッカーシューズを提供すること。【解決手段】ソール２２及びアッパー２１を備えるサッカーシューズ２０であって，複数の突起２３がサッカーシューズ２０のつま先の内側および外側エリアに設けられ，複数の突起２３の各々に弾性楔状オブジェクト２４を組み込む。かかる構成により，サッカーシューズ２０でキックされたサッカーボールの回転力を増加させることができる。【選択図】図２
2004520113.tif 000002
【特許請求の範囲】
【請求項１】
ソール及びアッパーを備えたサッカーシューズであって，
サッカーボールの回転力を増加させるように，複数の突起が前記サッカーシューズのつま先の内側エリアおよび外側エリアの双方に形成され，前記複数の突起の各々には弾性楔状オブジェクトが埋め込まれていることを特徴とする，サッカーシューズ。
【請求項２】
前記複数の突起の各々は，前記サッカーシューズの前方に向かって傾斜しており，
前記突起の高さは，前記サッカーシューズのつま先側の前記突起から，かかと側の前記突起にかけて徐々に増加していることを特徴とする，請求項１に記載のサッカーシューズ。
【請求項３】
前記突起は，前記つま先の内側エリアには６個，前記つま先の外側エリアには５個形成されていることを特徴とする，請求項１または２のいずれかに記載のサッカーシューズ。
【請求項４】
ソール及びアッパーを備えたサッカーシューズであって，
サッカーボールの回転力を増加させるように，複数の突起が前記サッカーシューズのつま先の内側エリアおよび外側エリアの双方に形成されていることを特徴とする，サッカーシューズ。
【請求項５】
前記突起の各々の弾性力を高めるように，前記複数の突起の各々には弾性楔状オブジェクトが埋め込まれていることを特徴とする，請求項４に記載のサッカーシューズ。
【請求項６】
前記突起の各々の方向は，前記突起の各々が形成されている前記アッパーの表面に垂直であることを特徴とする，請求項４に記載のサッカーシューズ。
【請求項７】
前記突起の各々の方向は，前記サッカーシューズのつま先側に向かって傾斜していることを特徴とする，請求項４に記載のサッカーシューズ。
【請求項８】
前記突起の各々の方向は，前記サッカーシューズのかかと側に向かって傾斜していることを特徴とする，請求項４に記載のサッカーシューズ。
【請求項９】
前記傾斜角度は，２０〜５０度であることを特徴とする，請求項７または８のいずれかに記載のサッカーシューズ。
【請求項１０】
前記突起相互の間隙が，０．５〜４．０ｃｍであることを特徴とする，請求項４に記載のサッカーシューズ。
【請求項１１】
前記各突起の高さは，前記各突起の位置に応じて徐々に変化しており，
前記つま先に最も近い突起が最も低く，前記つま先から最も遠い突起が最も高いことを特徴とする，請求項４に記載のサッカーシューズ。
【請求項１２】
相隣接する前記突起間の高さの差は，０．５〜３．０ｍｍであることを特徴とする，請求項１１に記載のサッカーシューズ。
【請求項１３】
複数の前記楔状オブジェクトは，一体形成されたオブジェクトを構成しており，前記楔状オブジェクトの各々の底部は，１つの平面オブジェクトに取り付けられていることを特徴とする，請求項５に記載のサッカーシューズ。
【請求項１４】
前記一体形成されたオブジェクトの各突出部の断面は，略三角形であることを特徴とする，請求項１３に記載のサッカーシューズ。
【請求項１５】
前記一体形成されたオブジェクトの各突出部の断面は，略弧状であることを特徴とする，請求項１３に記載のサッカーシューズ。
【請求項１６】
前記つま先の内側エリアに形成された前記突起の個数と，前記つま先の外側エリアに形成された前記突起の個数とは，同一であることを特徴とする，請求項４に記載のサッカーシューズ。
【請求項１７】
前記突起は，前記つま先の内側エリアには６個，前記つま先の外側エリアには５個形成されていることを特徴とする，請求項４に記載のサッカーシューズ。
【請求項１８】
前記各突起の形状は，長方形または正方形であり，
前記複数の突起は，前記つま先の内側エリアおよび外側エリア寄りに形成されていることを特徴とする，請求項４に記載のサッカーシューズ。
【請求項１９】
前記各突起の高さが，相互に同一であることを特徴とする，請求項４に記載のサッカーシューズ。
【請求項２０】
前記各突起は，弾性楔状オブジェクトであることを特徴とする，請求項４に記載のサッカーシューズ。
【発明の詳細な説明】
【技術分野】
【０００１】
本発明は，サッカーシューズに関し，特に，サッカーシューズのアッパー上に複数の突起を設けることにより，サッカーボールとのインパクトの際に当該ボールの回転及び曲がりを増加させ得るサッカーシューズに関する。
【背景技術】
【０００２】
周知のように，サッカーは，足を使って，シュ―ト，ドリブル，パスなどの大半の動作をするスポーツの一つである。このため，プレーヤーが履いているシューズは，プレーヤーのパフォーマンスを高める上で重要な役割をすると言える。
【０００３】
詳述すると，プレーヤーがドリブルをしたり，他のプレーヤーに向かってパスしたり，またはシュ―トしたりする場合，ボールに回転を加えて，カーブをかけることが有益である。特に，プレーヤーがパス，センタリングまたはシュートなどをしようとするときにボールにカーブを掛けることによって，より容易，正確かつ効果的なプレーを行うことができる。例えば，プレーヤーがボールにカーブを掛けることで，ボールが弧状を描きつつ相手プレーヤーの側を通過して，ゴールインさせることができる。
【０００４】
しかしながら，プレーヤーがボールに正確なカーブを掛けることは容易ではない。このため，プレーヤーは足を曲げたままで，即ち，シューズのインフロントやアウトフロントを用いてボールを蹴るが，この際，キックが不正確になるか，ひどいときには，足首を挫く恐れがある。実際には，ボールの精度は，サッカーシューズのインパクト角，速度などのプレーヤーのキック熟練度だけではなく，サッカーシューズのアッパーの仕上げ面の品位や，仕上げ面上の縫い目やその模様によっても左右される。シューズのアッパーの大半が，天然皮革で形成されていることを考慮すると，サッカーシューズの仕上げ面上の縫い糸が，仕上げ面の品位に影響する主要因となる。従って，縫い糸の微妙な影響を最小化するために，サッカーシューズの製造においては，縫い糸の太さや縫う方向，模様などが慎重に決定される。
【０００５】
図１は，従来のサッカーシューズの外観図である。図１に示すように，従来のサッカーシューズ１０の滑らかで平坦なアッパー表面１１が，単純な縫糸１２で縫われている。この縫糸１２があることによって，ボールがアッパー表面１１上で滑ることを若干は防止することができるが，ボールにカーブを掛けたり，回転を加えたりするには不十分であるという問題がある。
【発明の開示】
【発明が解決しようとする課題】
【０００６】
本発明は上記問題点に鑑みて成されたものであり，本発明の目的は，ボールと接触するサッカーシューズのアッパー上に複数の突起を設けることにより，ボールとのインパクトの際にボールの回転及び曲がりを高めることが可能な，新規かつ改良されたサッカーシューズを提供することにある。
【課題を解決するための手段】
【０００７】
上記課題を解決するために，本発明のある観点によれば，ソール及びアッパーを備えるサッカーシューズであって，サッカーボールの回転力を増加させるように，複数の突起が前記サッカーシューズのつま先の内側エリアおよび外側エリアの双方に形成され，前記複数の突起の各々には弾性楔状オブジェクトが組み込まれている（ｅｍｂｅｄｄｅｄ）ことを特徴とする，サッカーシューズが提供される。
【発明の効果】
【０００８】
以上のように本発明によれば，キックしたときのボールの速度や曲がり具合を向上させることができるので，プレーヤーはより素晴らしいボールコントロールが可能になる。また，相手プレーヤーがボールの進行方向を予測しにくくなるので，サッカーの試合をより一層スピーディーかつ興奮させるものとすることができる。
【発明を実施するための最良の形態】
【０００９】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１０】
（第１の実施形態）
まず，図２および図３に基づいて，本発明の第１の実施形態にかかるサッカーシューズについて説明する。なお，図２は，本発明の第１の実施形態にかかるサッカーシューズの外観図であり，図３は，本実施形態にかかるサッカーシューズの一側の部分拡大断面図である。
【００１１】
図２に示すように，サッカーシューズ２０は，アッパー２１と，ソール２２とを有する。アッパー２１には，複数の突起２３が，階段状のパターンで略平行に形成されている。これらの突起２３は，プレーヤーが自身の足で最も頻繁にボールを扱ったり蹴ったりする箇所，即ち，アッパー２１のつま先の内側および外側エリアに設けられる。この突起２３は，蹴ったボールの回転（ｓｐｉｎ），曲がり（ｃｕｒｖｅ）及び速度（ｓｐｅｅｄ）を向上させる目的で設けられている。これらの目的を効果的に達するため，各突起２３の断面は，図３に示すように，楔状（ｗｅｄｇｅ  ｓｈａｐｅｄ，Ｖ字形）の形状を有している。この楔形の突起２３は，サッカーシューズ２０がボールにインパクトした瞬間に，アッパー２１の表面に対して弾性力を与えることができる。
【００１２】
この突起２３を成形する場合には，細長い楔状オブジェクト（ｗｅｄｇｅ−ｓｈａｐｅｄ  ｏｂｊｅｃｔ；楔形体）２４が，各突起２３内に挿入される（ｅｍｂｅｄｄｅｄ；内部に埋め込まれている）。この楔状オブジェクト２４は，硬質な部材よりもむしろ，弾性的な部材，例えば，天然ゴム，合成ゴム，スポンジゴム，プラスチック，ポリマーなどの弾性材で形成されることが好ましい。
【００１３】
この突起２３は，以下のような一連のプロセスで形成される。即ち，まず，図２に示したように，複数の細長い楔状オブジェクト２４を，アッパー２１の内層（ｉｎｎｅｒ  ｌａｙｅｒ）２６に略平行に取り付ける。次いで，この楔状オブジェクト２４を外層（ｏｕｔｅｒ  ｌａｙｅｒ）２５でしっかりと覆う。最後に，各突起２３の端部を裁縫して，突起２３を形成する。この際，各楔状オブジェクト２４を個別にアッパー２１に直接取り付けるよりは，各楔状オブジェクト２４を一つの織物（ｆａｂｉｒｉｃ）または布（ｓｃｒｉｍ）上に取り付け，この織物または布をアッパー２１に取り付ける方が，容易に製造することができるので有益である。また，楔状オブジェクト２４をサッカーシューズ２０の内層２６に取り付けてもよい。
【００１４】
なお，図２に示す各突起２３の形状は，細長いストライプ形状であるが，この突起２６は，アッパー２１上にアイランド形状（点状に）に形成してもよい。換言すると，各突起を長方形または正方形などの平面形状を有するように成形して，かかる形状の突起をアッパー２１の表面に複数形成してもよい。
【００１５】
この突起２３は，図３に示したように，つま先に向かうように傾斜させて形成することが好ましい。一方，図示していないが，この突起２３は，サッカーシューズ２０のかかとに向けて傾斜させるようにして形成することもできる。この突起２３を傾斜させる角度は，内層２６の法線に対して２０〜６０度（より好ましくは３０〜５０度）であることが好ましい。また，各突起２３相互の間隙Ｌは，好ましくは０．５〜４．０ｃｍ（より好ましくは１．０〜３．０ｃｍ）である。また，各突起２３の高さは，各突起の位置に応じて徐々に変化し，つま先に最も近い位置の突起２３の高さが最も低く，つま先から最も遠い位置の突起２３の高さが最も高くなる。相隣接する突起２３間の高さの差Ｈは，好ましくは，０．５〜３．０ｍｍ（より好ましくは０．５〜２．０ｍｍ）である。本実施形態では，突起２３の設置個数は，ユーザの好みや適用の仕方に応じて変化させてもよい。例えば，この突起２３の数は，５又は６個形成することが好適であり，より詳細には，つま先の内側エリアには５個，外側エリアに６個形成することが好適であることが分かっている。
【００１６】
上述したように，各突起２３の高さは，各突起２３の位置に応じて徐々に変化するようにしてもよいが，この高さは一定であってもよい。また，上記のように，突起２３の設置個数を変えてもよい。従って，つま先の内側エリアと外側エリアにおける突起２３の設置個数は，例えば，両側とも３〜５個で同一にしてもよい。
【００１７】
本願発明者らは，試験を行い，上記各突起２３の高さと，各突起２３の底部の幅との好適な組合せを得た。かかる好適な組合せを，以下の（表１）〜（表４）に示す。
【００１８】
【表１】
2004520113.tif 000003
【００１９】
【表２】
2004520113.tif 000004
【００２０】
【表３】
2004520113.tif 000005
【００２１】
【表４】
2004520113.tif 000006
【００２２】
（第２の実施形態）
次に，本発明の第２の実施形態にかかるサッカーシューズについて説明する。
【００２３】
本実施形態にかかるサッカーシューズでは，上記第１の実施形態の場合のように細長い楔状オブジェクト２４の各々がアッパーに個別に挿入されたり取り付けられたりするのとは異なり，突出部となるリッジ状オブジェクトは，図４，図５および図６に示すように，一体形成されている。図４に示す一体形成されたオブジェクト（ｏｎｅ−ｂｏｄｙ  ｏｂｊｅｃｔ；１ボディのオブジェクト，一体形成された突出体）４０の上部側の突出部（ｒｉｄｇｅ）４２の断面形状は略楔状（ｗｅｄｇｅ  ｓｈａｐｅ）である。また，図５に示す突出部５２の断面形状は略三角形状（ｔｒｉａｎｇｕｌａｒ  ｓｈａｐｅ）である。さらに，図６に示す突出部６２の断面形状は略弧状（ｒｏｕｎｄ  ｓｈａｐｅ）である。かかる一体形成されたオブジェクト４０，５０及び６０は，その下部側の底部４１，５１及び６１がアッパー２１の内層２６にしっかりと取り付けられた後，一体形成されたオブジェクト４０，５０及び６０の上部側の突出部４２，５２及び６２がアッパー２１の表面を構成する皮革によって覆われる。
【００２４】
図７は，本発明の別の実施形態にかかるサッカーシューズの外観図である。図７に示すように，突起２３はサッカーシューズ２０のつま先の方に向かって傾斜している。図示していないが，かかる突起２３の傾斜の方向は，反対方向に傾斜する，即ち，サッカーシューズ２０のかかと方向に向かって傾斜してもよい。また，この傾斜の方向は，サッカーシューズ２０を使用するプレーヤーの競技上のポジションに応じて変えてもよい。さらに，突起の個数，長さ及び高さは，プレーヤーの競技上のポジション（例えば，フォワード，ディフェンスまたはゴールキーパー等）に応じて変化させてもよい。
【００２５】
以下に，上記実施形態にかかる突起２３を備えたサッカーシューズ２０の機能・作用について説明する。
【００２６】
プレーヤーがパスまたはシュート時にボールをキックする瞬間に，ボールは突起２３と接触する。このとき，突起２３がボールを擦りつけることで，ボールの接触部分に摩擦力を与えるので，キックしたボールにスピンが掛かり，飛ばされたボールの曲がりを良くすることができる。
【００２７】
さらに，細長い楔状オブジェクト２４の反発力によって，ボールの飛ぶ速度が増加する。より詳細には，突起２３は，ボールと接触した瞬間に収縮するが，その後すぐに，楔状オブジェクト２４の弾性力によって伸張して，ボールを飛ばす力を増大させることができる。加えて，ボールの回転速度が早いほど空気抵抗が少なくなるため，ボールの飛ぶ速度はより増大する。
【００２８】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【図面の簡単な説明】
【００２９】
【図１】従来のサッカーシューズの外観図である。
【図２】本発明の第１の実施形態にかかるサッカーシューズの外観図である。
【図３】本発明の第１の実施形態にかかるサッカーシューズの一側の部分拡大断面図である。
【図４】本発明の第２の実施形態にかかる１ボディタイプのリッジ状オブジェクトの一例を示す模式図である。
【図５】本発明の第２の実施形態にかかる１ボディタイプのリッジ状オブジェクトの別の例を示す模式図である。
【図６】本発明の第２の実施形態にかかる１ボディタイプのリッジ状オブジェクトの別の例を示す模式図である。
【図７】本発明の他の実施形態にかかるサッカーシューズの外観図である。
【符号の説明】
【００３０】
２０  サッカーシューズ
２１  アッパー
２２  ソール
２３  突起
２４  楔状オブジェクト
２６  アッパーの内層
【図１】
2004520113.tif 000007
【図２】
2004520113.tif 000008
【図３】
2004520113.tif 000009
【図４】
2004520113.tif 000010
【図５】
2004520113.tif 000011
【図６】
2004520113.tif 000012
【図７】
2004520113.tif 000013
【国際公開パンフレット】
2004520113.tif 000014
2004520113.tif 000015
2004520113.tif 000016
2004520113.tif 000017
2004520113.tif 000018
2004520113.tif 000019
2004520113.tif 000020
2004520113.tif 000021
2004520113.tif 000022
2004520113.tif 000023
2004520113.tif 000024
2004520113.tif 000025
2004520113.tif 000026
2004520113.tif 000027
2004520113.tif 000028
2004520113.tif 000029
2004520113.tif 000030
2004520113.tif 000031
2004520113.tif 000032
2004520113.tif 000033
2004520113.tif 000034
2004520113.tif 000035
2004520113.tif 000036
【国際調査報告】
2004520113.tif 000037